(57)【要約】【課題】インクタンクをハウジングの外部に備える記録装置においてインクチューブをインクタンクの接続部から取り外すことなく、一体でハウジングから取り外すことができること。【解決手段】記録ヘッド5を備えるヘッドユニット7を収容するハウジング2と、ハウジングの外側に設けられるインクタンク11と、ヘッドユニットに対して着脱可能に装着されるアダプター27とインクタンクに接続され、インクをアダプターを介して記録ヘッドへと導くインクチューブ13であって、ヘッドユニットの前記移動に伴って追従変形する変形可動部31を有するインクチューブ13と、ハウジングの側面に設けられ、インクチューブを該ハウジングの外部に通すチューブ用貫通部53であって、インクチューブにアダプターとインクタンクとが一体に接続された状態で該インクチューブを取り外し可能に受け入れるチューブ用貫通部とを備える。【選択図】図２
2013176945.tif 000002
【特許請求の範囲】
【請求項１】
インクを吐出する記録ヘッドを備え所定の方向に移動可能なヘッドユニットと、
前記ヘッドユニットを収容し、装置外郭を成すハウジングと、
前記ハウジングの外側に設けられるインクタンクと、
インクが収容されたインク収容部から送られるインクを前記記録ヘッドへと導き、前記ヘッドユニットの前記移動に伴ってＵ字反転部を介して追従変形する変形可動部を有するインクチューブと、
前記ハウジングの側面に設けられ、前記インクチューブの前記インクタンク側の部分を該ハウジングの外部に通すチューブ用貫通部であって、前記インクチューブに前記アダプターと前記インクタンクとが一体に接続された状態で該インクチューブを取り外し可能に受け入れるチューブ用貫通部と、を備える記録装置。
【請求項２】
請求項１に記載された記録装置において、
前記チューブ用貫通部は、前記インクチューブの前記取り外しを可能にする構造として、前記側面の端部に連なる連通部を備える、ことを特徴とする記録装置。
【請求項３】
請求項２に記載された記録装置において、
前記連通部は、前記チューブ用貫通部よりも幅狭に形成されている、ことを特徴とする記録装置。
【請求項４】
請求項３に記載された記録装置において、
前記連通部の幅は、前記インクチューブが該インクチューブの弾性変形を利用して通過可能なサイズに形成されている、ことを特徴とする記録装置。
【請求項５】
請求項２又は３に記載された記録装置において、
前記連通部は、開閉自在なカバーを備えている、ことを特徴とする記録装置。
【請求項６】
請求項１に記載された記録装置において、
前記チューブ用貫通部は、該チューブ用貫通部に開閉自在なカバーを備え、該カバーの開閉によってインクチューブの取り外し可能状態と取り外し不能状態とが切り換わる構成である、ことを特徴とする記録装置。
【請求項７】
請求項５又は６に記載された記録装置において、
前記カバーは、前記ハウジングの前記側面と同色且つ当該側面と面一に形成されている、ことを特徴とする記録装置。
【請求項８】
請求項１から７のいずれか一項に記載された記録装置において、
前記インクタンクは前記ハウジングの側面の外面に着脱可能に装着され、
前記インクチューブの前記チューブ用貫通部から外部に出ている部分を、前記インクタンクの前記装着状態において収容するチューブ収容部を備えている、ことを特徴とする記録装置。
【請求項９】
請求項８に記載された記録装置において、
前記チューブ収容部は、前記装着状態の前記インクタンク外面と前記ハウジングの側面の外面との間に設けられている、ことを特徴とする記録装置。
【請求項１０】
請求項９に記載された記録装置において、
前記インクチューブの前記インクタンクとの接続部は該インクタンクの下部に位置し、
前記インクチューブは、前記ハウジングの前記側面の内面に沿って上方に延設され、前記チューブ用貫通部を通って外部に出て、下方に延びて前記接続部に接続されている、ことを特徴とする記録装置。
【請求項１１】
請求項１０に記載された記録装置において、
前記インクチューブは、前記変形可動部の可動側端部から前記チューブ用貫通部までの延設部にインクチューブの抜け止め構造部を備え、該抜け止め構造部が着脱可能に前記ハウジングの内部に取り付けられていることを特徴とする記録装置。
【請求項１２】
請求項５から７のいずれか一項に記載された記録装置において、
前記カバーはネジ締結用の第１締結部を備え、
前記ハウジングの側面はネジ締結用の第２締結部を備え、
前記カバーは、前記第１締結部と第２締結部をネジで締結することでハウジングに固定され、ネジ締結を外すことでハウジングから取り外せる、ことを特徴とする記録装置。
【請求項１３】
請求項１２に記載された記録装置において、
前記第１締結部は前記カバーの天板部の下面に突設され、
前記第２締結部は前記ハウジングの側面であって前記第１締結部と対応する位置に設けられ、
前記ネジ締結部分は前記カバーの下側に位置する、ことを特徴とする記録装置。
【請求項１４】
請求項５から７のいずれか一項に記載された記録装置において、
前記カバーは係合用の係合爪部を備え、
前記ハウジングの側面は係合用の係合受部を備え、
前記カバーは、前記係合爪部を係合受部に係合することでハウジングに固定され、前記係合を外すことでハウジングから取り外せる、ことを特徴とする記録装置。
【請求項１５】
請求項１４に記載された記録装置において、
前記係合爪部は前記カバーの天板部の下面に突設され、
前記係合受部は前記ハウジングの側面であって前記係合爪部と対応する位置に設けられ、
前記係合部分は前記カバーの下側に位置する、ことを特徴とする記録装置。
【発明の詳細な説明】
【技術分野】
【０００１】
本発明は、インクを吐出する記録ヘッドを備え所定の方向に移動可能なヘッドユニットと、前記ヘッドユニットを収容し、装置外郭を成すハウジングと、前記ハウジングの外側に設けられるインクタンクと、前記インクタンク内のインクを前記記録ヘッドへと導く、可撓性を有するインクチューブであって、前記ヘッドユニットの前記移動に伴って追従変形する変形可動部を有するインクチューブとを備えた構成のインクジェットプリンター等の記録装置に関するものである。
【背景技術】
【０００２】
インクジェットプリンター等の記録装置には、ハウジング（プリンター本体）の外部にインク貯留部となるインクタンクを備えた記録装置が下記の特許文献１、２に示すように既に存在している。  
このような記録装置では、記録ヘッドを備えるヘッドユニットから延設されたインクチューブをハウジングの側面に形成した穴部等から外部に延出され、当該壁面の外部に設けられるインクタンクの接続部に対して接続するという構造が採られている。
【０００３】
また、下記の特許文献３に示すようにハウジングの内部にメインタンクとサブタンクの二つのインクタンクを備え、該メインタンクとサブタンクとをインクチューブで接続した着脱可能なインク供給装置も開発されている。
【先行技術文献】
【特許文献】
【０００４】
【特許文献１】国際公開Ｗ０２００９／１１９０８４公報
【特許文献２】特開２００５―００１２８４号公報
【特許文献３】特開２００７―１４４９０５号公報
【発明の概要】
【発明が解決しようとする課題】
【０００５】
しかしながら、前記特許文献１、２に示すように、インクタンクをハウジングの外部に備える記録装置の場合には、インクタンクの接続部に接続されているインクチューブを取り外さなければ、前記ヘッドユニットにインクを供給しているインク供給系の諸部材をハウジングから取り外すことができない。  
従って、インク供給系の諸部材に不具合があった場合の修理や部品交換等の際において、インク供給系の諸部材をハウジングから取り外す必要が生じた場合には、インクタンクの接続部に接続されているインクチューブを一旦取り外さなければならなかった。そのため、該インクチューブを取り外す際に生ずるインクチューブ内へのエアの混入が問題になっていた。
【０００６】
この場合、前記特許文献３のようにインクチューブを取り外すことなくインク供給装置毎に一体でハウジングからインク供給装置を取り外すことができれば、前記インクチューブ内へのエアの混入の問題は生じない。  
しかし、特許文献１、２に示すように、インクタンクをハウジングの外部に備える記録装置の場合には、特許文献３の発明では対応することができない。
【０００７】
本発明の目的は、インクタンクをハウジングの外部に備える記録装置においてインク供給系の修理や部品交換等の際に、インクチューブをインクタンクの接続部から取り外すことなく、インク供給系の構成部材を一体でハウジングから取り外し、また一体でハウジングに取り付けることができる記録装置を提供することにある。
【課題を解決するための手段】
【０００８】
本発明に係る記録装置の第１の態様は、インクを吐出する記録ヘッドを備え所定の方向に移動可能なヘッドユニットと、前記ヘッドユニットを収容し、装置外郭を成すハウジングと、前記ハウジングの外側に設けられるインクタンクと、インクが収容されたインク収容部から送られるインクを前記記録ヘッドへと導き、前記ヘッドユニットの前記移動に伴ってＵ字反転部を介して追従変形する変形可動部を有するインクチューブと、前記ハウジングの側面に設けられ、前記インクチューブの前記インクタンク側の部分を該ハウジングの外部に通すチューブ用貫通部であって、前記インクチューブに前記アダプターと前記インクタンクとが一体に接続された状態で該インクチューブを取り外し可能に受け入れるチューブ用貫通部と、を備える。
【０００９】
本態様によれば、チューブ用貫通部が前記インクチューブに前記アダプターと前記インクタンクとが一体に接続された状態で該インクチューブを取り外し可能に受け入れる。即ち、インクチューブが接続されるアダプターとインクタンクを一体のインク供給ユニットとして取り扱うことができる。従って、インクタンクをハウジングの外部に備える記録装置においてインク供給系の修理や部品交換等の際に、インクチューブをインクタンクの接続部から取り外すことなく、前記インク供給ユニットを一体でハウジングから取り外し、また一体でハウジングに取り付けることができる。これにより、インク供給ユニットの修理や部品交換等の際に従来は行っていたインクチューブの着脱作業が不要になり、開放されたインクチューブの端部からのエアの混入の問題は生じない。
【００１０】
本発明に係る記録装置の第２の態様は、前記第１の態様において、前記チューブ用貫通部は、前記インクチューブの前記取り外しを可能にする構造として、前記側面の端部に連なる連通部を備えることを特徴とする。  
本態様によれば、第１の態様の前記効果に加えて、極めて簡単な構造によって、前記インク供給ユニットを一体のままインクチューブを連通部から出し入れすることができる。  
また、前記連通部は、ハウジング内への風の流入口ないしハウジング外への風の流出口としても機能するから、ハウジング内で発生したインクミストをハウジング外に排出するミスト抜き作用も発揮する。
【００１１】
本発明に係る記録装置の第３の態様は、前記第２の態様において、前記連通部は、前記チューブ用貫通部よりも幅狭に形成されていることを特徴とする。  
本態様によれば、連通部は、前記チューブ用貫通部よりも幅狭に形成されているので、第２の態様の前記効果に加えて、インクチューブがチューブ用貫通部内から不用意に抜け出る虞を低減することができる。
【００１２】
本発明に係る記録装置の第４の態様は、前記第３の態様において、前記連通部の幅は、前記インクチューブが該インクチューブの弾性変形を利用して通過可能なサイズに形成されていることを特徴とする。
【００１３】
本態様によれば、前記連通部の幅は、前記インクチューブが該インクチューブの弾性変形を利用して通過可能なサイズに形成されているので、該連通部の幅をインクチューブの自然状態における外径より小さく設定することが可能となる。これにより、第３の態様の前記効果に加えて、該連通部を目立たなくすることができ、また、ハウジングの側面の強度低下を抑制することができる。
【００１４】
本発明に係る記録装置の第５の態様は、前記第２の態様又は第３の態様において、前記連通部は、開閉自在なカバーを備えていることを特徴とする。  
本態様によれば、カバーによって前記連通部を閉状態にすることができるので、前記第２の態様又は第３の態様の効果に加えて、インクチューブがチューブ用貫通部内から不用意に外れる虞を確実に低減することができる。また、スキャナーとの複合機においては、スキャナーを拡開した状態でもインクチューブの連通部からの不用意な脱落が防止される。
【００１５】
本発明に係る記録装置の第６の態様は、前記第１の態様において、前記チューブ用貫通部は、該チューブ用貫通部に開閉自在なカバーを備え、該カバーの開閉によってインクチューブの取り外し可能状態と取り外し不能状態とが切り換わる構成であることを特徴とする。  
本態様は、前記連通部が無い構造を対象とする。  
即ち本態様によれば、該カバーの開閉によってインクチューブの取り外し可能状態と取り外し不能状態とが切り換わるので、前記第５の態様と同様の効果が得られる。
【００１６】
本発明に係る記録装置の第７の態様は、前記第５の態様又は第６の態様において、前記カバーは、前記ハウジングの前記側面と同色且つ当該側面と面一に形成されていることを特徴とする。
【００１７】
本態様によれば、カバーの存在が目立たないので、ユーザーが誤ってカバーを取り外したり、移動させたりする事態を未然に防止でき、ハウジングの外観デザインを損ねることもない。  
また、カバーをハウジングの側面と面一にすることによって、該カバー取付け状態での引っ掛かりの問題の発生を防止できる。
【００１８】
本発明に係る記録装置の第８の態様は、前記第１の態様からは第７の態様のいずれか一つの態様において、前記インクタンクは前記ハウジングの側面の外面に着脱可能に装着され、前記インクチューブの前記チューブ用貫通部から外部に出ている部分を、前記インクタンクの前記装着状態において収容するチューブ収容部を備えていることを特徴とする。  
ここで、チューブ用貫通部とチューブ収容部は、インクチューブの延設経路としては連続してつながる構造であり、両者の間に境界位置が物理的に存在しているわけではない。
【００１９】
本態様によれば、着脱自在なインクタンクがハウジングの外側の側面に装着された状態において、インクチューブのチューブ用貫通部から外部に出ている部分を収容するチューブ収容部67を備えている。従って、前記第１の態様からは第７の態様のいずれか一つの態様の効果に加えて、インクチューブのハウジング外部に延出されている部分は、露呈状態ではなくチューブ収容部内に収容された状態となり、ユーザーが不用意に触れる虞が低減され、使い勝手が改善される。
【００２０】
本発明に係る記録装置の第９の態様は、前記第８の態様において、前記チューブ収容部は、前記装着状態の前記インクタンク外面と前記ハウジングの側面の外面との間に設けられていることを特徴とする。  
即ち、前記インクタンク外面と前記ハウジングの側面の外面（プリンター本体の外側）との間のスペースを活用して当該スペースにチューブ収容部が設けられている。
【００２１】
本態様によれば、チューブ収容部の設置場所を装置が大型化することなく容易に確保することができる。また、当該チューブ収容部の場所が外部から目立たない状態になるので、記録装置の外観の質的低下を抑制することができる。
【００２２】
本発明に係る記録装置の第１０の態様は、前記第９の態様において、前記インクチューブの前記インクタンクとの接続部は該インクタンクの下部に位置し、前記インクチューブは、前記ハウジングの前記側面の内面に沿って上方に延設され、前記チューブ用貫通部を通って外部に出て、下方に延びて前記接続部に接続されていることを特徴とする。
【００２３】
本態様によれば、インクチューブはチューブ用貫通部を上下方向に対して略逆Ｕ字形状を成して内側から外側に出る。即ち、インクチューブは前記ハウジングの側面に対して内面及び外面の両方において沿う状態で延設される。これにより、第９の態様の効果に加えて、インクチューブの前記逆Ｕ字形状部分はハウジングの側面を挟む形状となって存在することで、該ハウジングがインクチューブの支持部材となり、当該インクチューブの安定した配設状態を実現することができる。
【００２４】
本発明の第１１の態様に係る記録装置は、前記第１０の態様において、前記インクチューブは、前記変形可動部の可動側端部から前記チューブ用貫通部までの延設部にインクチューブの抜け止め構造部を備え、該抜け止め構造部が着脱可能に前記ハウジングの内部に取り付けられていることを特徴とする。
【００２５】
本態様によれば、インクチューブに引っ張り力が作用した際に、その引っ張り力の伝達を当該抜け止め部材の存在によって遮断し、他に伝達する虞を低減することができる。
【００２６】
本発明に係る記録装置の第１２の態様は、前記第５の態様からは第７の態様のいずれか一つの態様において、前記カバーはネジ締結用の第１締結部を備え、前記ハウジングの側面はネジ締結用の第２締結部を備え、前記カバーは、前記第１締結部と第２締結部をネジで締結することでハウジングに固定され、ネジ締結を外すことでハウジングから取り外せることを特徴とする。
【００２７】
本態様によれば、前記カバーは、前記第１締結部と第２締結部をネジで締結することでハウジングに固定され、ネジ締結を外すことでハウジングから取り外せるので、カバーが固定状態において大きな衝撃を受けても不要に外れる虞が少ない。従って、インクチューブをチューブ用貫通部内に安定した状態で保持することができる。
【００２８】
本発明に係る記録装置の第１３の態様は、前記第１２の態様において、前記第１締結部は前記カバーの天板部の下面に突設され、前記第２締結部は前記ハウジングの側面であって前記第１締結部と対応する位置に設けられ、前記ネジ締結部分は前記カバーの下側に位置することを特徴とする。
【００２９】
本態様によれば、前記ネジ締結部分は前記カバーの下側に位置するので、外部から見えない、或いは目立たない。これにより、ネジ締結構造が装置全体の外観に影響を及ぼすことを防止することができる。
【００３０】
本発明に係る記録装置の第１４の態様は、前記第５の態様からは第７の態様のいずれか一つの態様において、前記カバーは係合用の係合爪部を備え、前記ハウジングの側面は係合用の係合受部を備え、前記カバーは、前記係合爪部を係合受部に係合することでハウジングに固定され、前記係合を外すことでハウジングから取り外せることを特徴とする。
【００３１】
本態様によれば、前記カバーは、前記係合爪部を係合受部に係合することでハウジングに固定され、前記係合を外すことでハウジングから取り外せる。従って、カバーの連通部への着脱を作業者が特に工具を用いることなく簡単に行うことができる。
【００３２】
本発明に係る記録装置の第１５の態様は、前記第１４の態様において、前記係合爪部は前記カバーの天板部の下面に突設され、前記係合受部は前記ハウジングの側面であって前記係合爪部と対応する位置に設けられ、前記係合部分は前記カバーの下側に位置することを特徴とする。
【００３３】
本態様によれば、前記係合部分は前記カバーの下側に位置するので、外部から見えない、或いは目立たない。これにより、第１３の態様と同様に、係合部分が装置全体の外観に影響を及ぼすことを防止することができる。
【図面の簡単な説明】
【００３４】
【図１】本発明の実施例に係るインクジェットプリンターを示す斜視図。
【図２】同実施例に係るインクジェットプリンターを示すスキャナーを省略した状態の斜視図。
【図３】同実施例に係るインクジェットプリンターを示すスキャナーを省略した状態の平面図。
【図４】同実施例に係るインクジェットプリンターを示すインクタンクを省略した状態の側面図。
【図５】同実施例に係るインクジェットプリンターのインクタンクを装着し、カバーを外した状態のプリンター本体側からの斜視図。
【図６】同実施例に係るインクジェットプリンターのインク供給ユニットを示す斜視図。
【図７】同実施例に係るインクジェットプリンターのインクタンクを装着し、カバーを取り付けた状態のインクタンク側からの斜視図。
【図８】同実施例に係るインクジェットプリンターのインクタンクを装着し、カバーを外した状態のインクタンク側からの斜視図。
【図９】同実施例に係るインクジェットプリンターのチューブ用貫通部の部分を示す斜視図。
【図１０】同実施例に係るチューブ用貫通部の部分を示すインクタンクをハウジングから外した状態のインクタンク側からの斜視図。
【図１１】同実施例に係るチューブ用貫通部の部分を示す図１０中のＡ部の拡大斜視図。
【図１２】同実施例に係るインクジェットプリンターのチューブ用貫通部の態様を示す側断面図。
【図１３】同実施例に係るインクジェットプリンターのチューブ用貫通部の他の態様を示す側断面図。
【図１４】同実施例に係るインクジェットプリンターのチューブ用貫通部の他の態様を示す側断面図。
【図１５】同実施例に係るインクジェットプリンターにおいて使用可能なインクチューブの態様を示す横断面図。
【図１６】他の実施例に係るインクジェットプリンターのチューブ用貫通部の部分を示す斜視図。
【図１７】他の実施例におけるカバーを下方から見た斜視図。
【発明を実施するための形態】
【００３５】
最初に、図１〜図４に基づいて本発明に係る記録装置の一実施例であるインクジェットプリンターの概略構成について説明する。
【００３６】
本実施例に係るインクジェットプリンター１は、インクを吐出する記録ヘッド５を備え所定の方向である被記録材Ｐの幅方向Ｂに移動可能なヘッドユニット７と、前記ヘッドユニット７を移動可能に収容し、該プリンター１の外郭すなわちプリンター本体を成すハウジング（以下において「プリンター本体」と言うこともある）２と、前記ハウジング２の向って右側の側面９の外面に着脱可能に装着されるインク貯留部となるインクタンク１１とを備えている。  
更に、当該プリンター１は、前記ヘッドユニット７に対して着脱可能に装着されるアダプター２７と前記インクタンク１１に両端が接続され、前記インクタンク１１内のインクを前記アダプター２７を介して前記記録ヘッド５へと導く、可撓性を有するインクチューブであって、前記ヘッドユニット７の前記移動に伴って追従変形する変形可動部３１を有するインクチューブ１３とを備えている。
【００３７】
また、図示実施例のインクジェットプリンター１は、ハウジング２の上方にスキャナー１５を搭載した複合型のインクジェットプリンターである。  
このインクジェットプリンター１は、上部に前述したスキャナー１５を開閉自在に配置すると共に、該スキャナー１５の後部に被記録材（以下、「用紙」ともいう）Ｐを給紙するための幅方向Ｂに延びる給紙口１７が設けられている。
【００３８】
また、プリンター本体２の前面パネルの一部を矩形状に開口して、記録実行後の用紙Ｐを当該プリンター１の前側に排紙するための幅方向Ｂに延びる排紙口１９が設けられている。  
また、前記排紙口１９の上方には操作パネル２１が設けられており、インクジェットプリンター１の各種の操作がこの操作パネル２１を使用することによって実行できるように構成されている。
【００３９】
プリンター本体２の内部には、用紙Ｐの被記録面にインクを吐出して記録を実行するための記録ヘッド５を含む記録実行系の諸部材と、前記給紙口１７から給紙された用紙Ｐを前記記録ヘッド５の下方の記録実行領域２３に導いて前記排紙口１９から外部に排紙させる図示しない搬送系の諸部材と、前記記録ヘッド５に各色、例えばシアン（Ｃ）、マゼンタ（Ｍ）、イエロー（Ｙ）、ブラック（Ｋ）のインクを供給するためのインクチューブ１３を含むインク供給系の諸部材の一部が配設されている。
【００４０】
記録実行系の諸部材としては、前記各色のインクを個別に吐出するノズル開口を各別に備えた記録ヘッド５と、該記録ヘッド５を下面に搭載して用紙Ｐの搬送方向Ａと交差する幅方向Ｂを走査方向としてホームポジションとリターンポジションとの間で往復移動するヘッドユニット本体２５とを備えるヘッドユニット７と、該ヘッドユニット７を幅方向Ｂに沿って往復移動させるための図示しないガイド機構及び駆動機構とが設けられている。
【００４１】
搬送系の諸部材としては、図示は省略するが、給紙口１７に挿入された用紙Ｐを一枚ずつ自動的に搬送経路に導くための自動給紙装置と、搬送経路に導かれた用紙Ｐを挟持して記録実行領域２３に向けて当該用紙Ｐを搬送する一対のニップローラーによって構成される搬送用ローラーと、記録が実行された用紙Ｐを排紙口１９に向けて搬送し外部に排紙するための同じく一対のニップローラーによって構成される排出用ローラーとを備えることによって構成されている。
【００４２】
インク供給系の諸部材としては、前記ヘッドユニット７に装着され、前記記録ヘッド５に前述した各色のインクを供給するためのカートリッジ式のアダプター２７と、該アダプター２７に一端が接続され、他端がハウジング２の一例として図３中、右側の側面９の外側に装着されているインクタンク１１の接続部２９（図３）に接続されている一例として４本のインクチューブ１３Ｃ、１３Ｍ、１３Ｙ、１３Ｋと、該４本のインクチューブ１３Ｃ、１３Ｍ、１３Ｙ、１３Ｋに各色のインクを供給するための着脱可能なインクタンク１１とが設けられている（図４）。
【００４３】
尚、前記アダプター２７に一端が接続されているインクチューブ１３は、変形可動部３のＵ字反転部３１において下方にＵ字反転した後、排紙口１９の上方においてプリンター本体２内で水平に支持されている支持部材３３の上面を幅方向Ｂに沿わせて前記右側の側面９に向けて延設されている。  
また、前記インクチューブ１３の第１延設部１３ａの一例として中央より幾分右側の位置には、前記インクチューブ１３のＵ字反転の可動側端部（起点）３５となるチューブ支持板３５（可動側端部と同じ符号３５を用いる）が上方から宛がわれて固定ネジ３７によって前記支持部材３３上に固定されている。
【００４４】
また、前記インクチューブ１３の第１延設部１３ａの終端には、継手３９が取り付けられており、該継手３９の内方に突出しているプラグ４１に前記インクチューブ１３の第１延設部１３ａの終端が嵌め込まれている。  
前記継手３９には、外方に突出しており、前記プラグ４１と連通している他のプラグ４３が設けられている。そして、該他のプラグ４３にインクチューブ１３の第２延設部１３ｂの一端が嵌め込まれ、軌道修正部４５によってインクタンク１１の接続部２９側に幾分軌道が修正された後、当該インクチューブ１３の第２延設部１３ｂは、前記プリンター本体２の側面９から外部に延出されている。
【００４５】
また、前記プリンター本体２の側面９の上部には、前述したインクタンク１１の装着面４７の上部コーナー部に設けられている係合フック４９と係合する係合穴５１が設けられている。
【００４６】
［実施例］
＜チューブ用貫通部の構造＞（図４−図１２参照）
本実施例に係るインクジェットプリンター１は、前記ハウジング２の側面９に設けられ、前記インクチューブ１３の前記インクタンク１１側の部分を該ハウジング２の外部に通すためのチューブ用貫通部５３を備えている。このチューブ用貫通部５３は、更に前記インクチューブ１３の両端に前記アダプター２７と前記インクタンク１１とが一体に接続された状態で該インクチューブ１３を取り外し可能に受け入れる構造に形成されている。  
以下の説明では、インクチューブ１３によって接続されて一体化されている前記アダプター２７と前記インクタンク１１と当該インクチューブ１３の組をインク供給ユニット４と称することにする。  
即ち、該インク供給ユニット４は、前記一体構造を維持したまま、前記インクチューブ１３を前記チューブ用貫通部５３から取り外し可能に組みつけられている。
【００４７】
図１２（Ａ）は、該チューブ用貫通部５３から前記インクチューブ１３の前記取り外しを可能にする構造の具体例の一つを示す。この構造は、前記ハウジング２の側面９の端部に連なる連通部７０によって構成されている。即ちこの連通部７０は、前記側面９の上部の一部を上端部１２から下方のチューブ用貫通部５３に到達するまで所定深さ切り欠いた形状に相当する。側面９の上端部１２はハウジング２の前記スキャナー１５の底面と対向する上面と同じであり、面状に形成されている。
【００４８】
本実施例では、前記連通部７０は、前記チューブ用貫通部５３の幅Ｗ１よりも幅狭な幅Ｗ２に形成されている。これにより、後述するカバー７１を該連通部７０から外した状態において、インクチューブ１３がチューブ用貫通部５３内から不用意に抜け出る虞を低減することができる。前記幅Ｗ２は図１２（Ａ）では幅Ｗ１の約７割程度であるが、インクチューブ１３を取り外すことが可能な範囲でもっと小さく設定してもよい。  
図９に示すように、前記連通部７０と前記チューブ用貫通部５３を合わせた形状は側面視Ｌ字形に形成されている。
【００４９】
［カバーの説明］
また本実施例では、前記連通部７０は、開閉自在なカバー７１を備えている。該カバー７１は、前記ハウジング２の前記側面９と同色であり、更に当該側面９の面状の上端部１２と面一に形成されている。  
すなわち、カバー７１は、装着された状態において該カバー７１の存在が色彩的にも形状的にも目立たないように作られている。
【００５０】
本実施例では、カバー７１は前記ハウジング２の側面９に対して着脱式の構造が採用されている。該カバー７１は、一例として平面視矩形状で側面視階段状の天板部７１Ａと、該天板部７１Ａの下面から下方に向けて突出している矩形平板状の係合板部７１Ｂと、当該凹部カバー７１をハウジング（プリンター本体）２の側面９に着脱自在に取り付けるための係合構造の一例として鉤状の２つの係合爪部７１Ｃ、７１Ｃと、を備えている。
【００５１】
一方、前記連通部７０が形成されているハウジング（プリンター本体）２の側面９には、前記２つの係合爪部７１Ｃ、７１Ｃに係合する２つの係合受部７３、７３が形成されている。  
前記カバー７１をハウジング（プリンター本体）２の側面９に装着した状態では、該カバー７１の天板部７１Ａの上面がプリンター本体２の側面９の上面（上端部１２）とほぼ面一になる。そして、図９及び図１２（Ａ）に示すように、前記カバー７１の係合板部７１Ｂが前記連通部７０に嵌まることで該連通部７０が閉塞され、矩形状のチューブ用貫通部５３が形成される。
【００５２】
上記したように、本実施例では、前記カバー７１は係合用の係合爪部７１Ｃを備え、前記ハウジング２の側面９は係合用の係合受部７３を備えている。該係合爪部７１Ｃは前記カバー７１の天板部７１Ａの下面に突設されている。一方、前記係合受部７３は前記ハウジング２の側面９であって前記係合爪部７１Ｃと対応する位置に設けられている。これにより、前記係合部分は前記カバー７１の下側に位置する。  
前記カバー７１は、前記係合爪部７１Ｃを係合受部７３に係合することでハウジング２に固定され、前記係合を外すことでハウジング２から取り外せる。
【００５３】
図９では係合爪部７１Ｃはハウジング２の外側に位置する２個が示されている。ハウジング２の内側にも同様に２個の係合爪部７１Ｃが設けられ、全部で４個の係合爪部７１Ｃが設けられている。係合受部７３も前記係合爪部７１Ｃに対応して４個設けられている。尚、係合爪部７１Ｃの数は４個に限定されず、例えば３個でもよいし、５個以上でもよい。
【００５４】
本実施例のカバーによれば、該カバー７１は、前記係合爪部７１Ｃを係合受部７３に係合することでハウジング２に固定され、前記係合を外すことでハウジング２から取り外せる。従って、カバー７１の連通部７０への着脱を作業者が特に工具を用いることなく簡単に行うことができる。  
更に、前記係合部分は前記カバー７１の下側に位置するので、外部から見えない、或いは目立たない。これにより、係合部分が装置全体の外観に影響を及ぼすことを防止することができる。
【００５５】
＜チューブ収容部の構造＞（図４−図１５参照）
本実施例に係るインクジェットプリンター１は、前記インクチューブ１３の前記チューブ用貫通部５３から外部に出ている部分を、前記インクタンク１１の前記装着状態において収容するチューブ収容部６７を備えている。該チューブ収容部６７は内部にインクチューブを収容するためのスペースを有している。  
前記チューブ用貫通部５３とチューブ収容部６７は、インクチューブ１３の延設経路としては連続してつながる構造である。従って、該チューブ用貫通部５３とチューブ収容部６７との間に境界位置が物理的に存在していない。
【００５６】
これにより、インクチューブ１３のハウジング２の外側に延出されている部分は、露呈状態ではなく当該チューブ収容部６７内に収容された状態となる。従って、ユーザーがインクチューブ１３のハウジング２の外側に延出されている部分に不用意に触れる虞が低減され、使い勝手が改善される。
【００５７】
本実施例では、前記チューブ収容部６７は、前記ハウジング２に装着された状態の前記インクタンク１１の外面である前記装着面４７と前記ハウジング２の側面９の外面との間に設けられている。即ち、前記インクタンク１１の外面と前記ハウジング２の側面９の外面（プリンター本体の外側）との間のスペースを活用して、当該スペースにチューブ収容部６７が設けられている。
【００５８】
前記スペースを利用することにより、チューブ収容部６７の設置場所をインクジェットプリンター１が大型化することなく容易に確保することができる。また、外観としてはインクタンク１１がハウジング２に装着された状態のインクジェットプリンターが見えるだけで、当該チューブ収容部６７の場所は外部から目立たないので、当該インクジェットプリンター１の外観の質的低下を抑制することができる。
【００５９】
尚、チューブ収容部６７の設置場所は、上記のスペースに限定されない。前記実施例の変形例として、例えば、インクタンク１１の前記ハウジング２と対向する面（装着面４７）ではなく、対向しない側面に収容室を設け、該収容室をチューブ収容部６７とすることも可能である。
【００６０】
前記インクタンク１１は、前記ハウジング２に装着された状態において、前記インクチューブ１３との接続部２９が以下の位置になるように構成されている。即ち、前記接続部２９は、前記インクチューブ１３の前記変形可動部３を成す第１延設部１３ａを延設方向Ｄに延設させて前記ハウジング２の外側にまで延長したと想定した場合に占める領域に対して平面視でずれて位置している。  
即ち、前記接続部２９は、インクチューブ１３の変形可動部３を成す第１延設部１３ａの位置に対して平面視で当該インクジェットプリンター１の後方側にずれて配置されている。
【００６１】
前記「ずれ」によって、チューブ収容部６７内に収容されるインクチューブ１３の全長を前記ずれの分だけ長くすることができる。これにより、該チューブ収容部６７をハウジング２から外して例えばインクの補給作業を行う場合等において作業がし易くなる。
【００６２】
尚、前記「ずれ」を設けずに、前記想定した場合に占める領域の下方に接続部２９を位置させる構造であってもよい。
【００６３】
前記接続部２９は、前記インクタンク１１の下部に位置している。そして、前記インクチューブ１３は、前記ハウジング２の前記側面９の内面に沿って上方に延設され、前記チューブ用貫通部５３を通って外部に出て、下方に延びて前記接続部２９に接続されている。これにより、インクチューブ１３はチューブ用貫通部５３を上下方向に対して略逆Ｕ字形状を成して内側から外側に出る構造となる。即ち、インクチューブ１３は前記ハウジング２の側面９に対して内面及び外面の両方において沿う状態で延設される。  
従って、インクチューブ１３の前記逆Ｕ字形状部分はハウジング２の側面９を挟む形状となって存在するので、該ハウジング２の前記側面９がインクチューブ１３の支持部材或いは芯材として機能し、当該インクチューブ１３の安定した配設状態を実現することができる。
【００６４】
尚、インクチューブ１３は、前記逆Ｕ字形状を取らずにハウジング２の内側から外側に略直線的に出て、それから下方に延びて前記接続部と接続される構成とすることも可能である。
【００６５】
本実施例において、前記チューブ用貫通部５３は、平面視で、インクチューブ１３の変形可動部３側に前記延設部１３ａの前記想定した場合に占める領域と前記接続部２９との間に位置する。ここでは、インクチューブ１３の変形可動部３側に前記延設部１３ａの「前記想定した場合に占める領域」と「チューブ用貫通部５３」と「接続部２９」の三者は、各境界でオーバーラップした配置で設けられている。  
この構成により、インクチューブ１３の配設がし易いと共に、該インクチューブ１３に無理な姿勢を取らせずに済む効果が得られる。
【００６６】
また、前記インクチューブ１３は、前記変形可動部３の可動側端部３５から前記チューブ用貫通部５３側に延設される部分である第２延設部１３ｂが、平面視で前記変形可動部３を成す第１延設部１３ａの延設方向Ｄに延設させた後、前記軌道修正部４５において前記チューブ用貫通部５３に対応する位置に軌道修正されて延設されている。  
該軌道修正部４５は、本実施例では、インクチューブ１３の配設経路が下方の凸曲面を成すようにその形状が構成され、全体として略Ｓ字経路を成す抜け止め構造部１３０Ａを備えている。この抜け止め構造部１３０Ａにより、インクチューブ１３に引っ張り力が作用した際に、その引っ張り力の伝達を遮断し、他に伝達する虞を低減している。  
即ち、前記インクチューブ１３は、前記変形可動部３の可動側端部３５から前記チューブ用貫通部５３までの第２延設部１３ｂにインクチューブ１３の抜け止め構造部１３０Ａを備え、該抜け止め構造部１３０Ａが固定ネジ１３０Ｂによって着脱可能に前記ハウジング２の内部に取り付けられている。
【００６７】
本実施例によれば、前記軌道修正によってチューブ用貫通部５３をインクチューブ１３が正面からストレートに通って外部に出ることが可能になる。従って、該チューブ貫通部５３に対してインクチューブ１３の配設がし易いと共に、該インクチューブ１３に無理な姿勢をとらせないで済む。
【００６８】
本実施例では、前記チューブ用貫通部５３は、前記インクチューブ１３の該チューブ用貫通部５３を通る部分を前記接続部２９の方向に誘導するガイド構造部６１を備えている。該ガイド構造部６１は、具体的には一例として以下のように構成されている。  
該ガイド構造部６１は、前記チューブ用貫通部５３の下縁５４を成して前記インクチューブ１３を前記ハウジング２の内側から外側に向かって斜め上方に誘導する上方誘導部６３と、前記チューブ用貫通部５３の前記接続部２９側の側縁６８を成して前記インクチューブ１３を前記ハウジング２の内側から外側であって且つ平面視で前記接続部２９の在る方向に向かって斜め側方（誘導方向Ｃ）に誘導する側方誘導部６５とを備えている。
【００６９】
前記上方誘導部６３は、前記チューブ用貫通部５３の前記下縁５４を成す部材としてハウジング２の前記側面９の外面からハウジング２の外側に向けて上り傾斜で突出した板状の部材によって形成されている。この板状部材の上面が前記インクチューブ１３を斜め上方に誘導する上方誘導面６４である。  
また、前記側方誘導部６５は、同じくハウジング２の前記側面９の外面からハウジング２の外側に向けて突出する一例として平面視台形状をした凸状部７５によって形成されている。この凸状部７５の一つの面が開き傾斜に形成されて前記チューブ用貫通部５３の前記側縁６８を成し、且つ前記インクチューブ１３を斜め側方に誘導する側方誘導面６６である。
【００７０】
ガイド構造部６１によって、以下の効果が得られる。即ち、ガイド構造部６１がインクチューブ１３の該チューブ用貫通部５３を通る部分を前記接続部２９の方向に誘導する。従って、インクタンク１１をハウジング２から外した後、再び装着する際に、インクチューブ１３は前記ガイド構造部６１による誘導作用を受けてチューブ収容部６７に収容される。すなわち、ユーザーは、インクタンク１１をハウジング２の所定箇所に装着するだけで、インクチューブ１３は前記上方誘導部６３及び側方誘導部６５の誘導作用によって前記チューブ収容部２内に自動的に収容される。  
これにより、インクチューブ１３をチューブ収容部６７内に押し込むような面倒な作業を減らすことができる。また、チューブ用貫通部５３からチューブ収容部６７の領域においてインクチューブ１３が折れ曲がったり周囲の構造部材に挟み込まれたりする虞を低減することができる。
【００７１】
尚、前記ガイド構造部６１の具体的構造は、上記実施例の「上方誘導部６３（チューブ用貫通部５３の下縁５４を成してインクチューブを斜め上方に誘導）」と「側方誘導部６５（チューブ用貫通部５３の側縁６８を成してインクチューブを斜め側方に誘導）」による構造に限定されない。  
ユーザーがインクタンク１１をハウジング２の所定箇所に装着するだけで、インクチューブ１３がその誘導作用によって前記チューブ収容部２内に自動的に収容される構造であれば種々の変形が可能である。
【００７２】
前記ガイド構造部６１は、本実施例では更に前記チューブ用貫通部５３の前記側方誘導部６５と反対側に設けられ、前記インクチューブ１３が前記側方誘導部６５の誘導方向Ｃと反対側に移動することを規制する第１移動規制部５７を備えている。更に、前記上方誘導部６３と前記側方誘導部６５が作るコーナー部に設けられ、該コーナー部に前記インクチューブ１３が移動することを規制する第２移動規制部５９を備えている。
【００７３】
ここで、第１移動規制部５７は、前記チューブ用貫通部５３の前記側縁６８と反対側の側縁１０に設けられ、複数の凸状リブ５８と移動規制面５６とを備えている。  
また、第２移動規制部５９はブロック状の凸部６０で形成されている。
【００７４】
第１移動規制部５７と第２移動規制部５９を設けたことにより、チューブ用貫通部５３からチューブ収容部６７の領域においてインクチューブ１３が折れ曲がったり周囲の構造部材に挟み込まれたりする虞を一層低減することができる。
【００７５】
本実施例では前記チューブ用貫通部５３から外側に出されたインクチューブ１３の延出方向である誘導方向Ｃは、図３に示すように前記プリンター本体２内でのインクチューブ１３の延設方向Ｄに対して前記チューブ収容部６７側に偏倚した傾斜した方向に設定されている。  
また、前記チューブ用貫通部５３は、プリンター本体２の前記側面９の上部の一部を上方から所定深さ切り欠いた連通部７０を備え、該連通部７０に対して上方から係脱可能にカバー７１が係合される。
【００７６】
また、本発明において使用できるインクチューブ１３は、使用するインクの数に対応した複数本のインクチューブ、例えば１３Ｃ、１３Ｍ、１３Ｙ、１３Ｋが一体に構成された図１５（Ａ）に示すような多連チューブ１３０であってもよいし、使用するインクの数に対応した複数本のインクチューブ、例えば１３Ｃ、１３Ｍ、１３Ｙ、１３Ｋが拘束具１４によって一体化された図１５（Ｂ）に示すような拘束チューブ１３１であってもよい。  
また、本発明において使用できるインクチューブ１３は、使用するインクの数に対応して複数本のインクチューブ、例えば１３Ｃ、１３Ｍ、１３Ｙ、１３Ｋが拘束されずに存在する図１５（Ｃ）に示すような非拘束チューブ１３２であってもよい。  
更に、これら３種類のインクチューブ１３０、１３１、１３２を適宜組み合わせたインクチューブであってもよい。
【００７７】
次に、このようにして構成される本実施例に係る記録装置１の作動態様を、インク供給ユニット４の着脱の手順に従って説明する。
【００７８】
（１）インクタンクの装着状態
着脱自在なインクタンク１１がハウジング２の側面９の外面に装着された状態においては、インクチューブ１３のチューブ用貫通部５３からハウジング２の外側に出ている部分は、チューブ収容部６７によって収容されている。従って、インクチューブ１３のハウジング２の外部に延出されている部分は、露呈状態ではなくチューブ収容部６７内に収容された状態となり、ユーザーが不用意に触れる虞が低減され、使い勝手が改善されている。
【００７９】
（２）インク供給ユニットの取り外し  
インク供給ユニット４の修理や部品交換を行う場合には、ハウジング（プリンター本体）２の上面を閉塞している上面パネルやスキャナー１５を拡開する。その後、ヘッドユニット７からアダプター２７を上方に引き抜いて取り外す。また、固定ネジ３７を緩めてチューブ支持板３５を取り外す。固定ネジ１３０Ｂも外す。  
また、カバー７１の天板部７１Ａの縁部や係合爪部７１Ｃ等に指を掛けて、前記係合爪部７１Ｃと係合受部７３との係合を外す。そして、該カバー７１を連通部７０から取り外して、チューブ用貫通部５３の上方を開放状態にする。これらの順番は作業し易いように作業者が決める。
【００８０】
前記カバー７１を取り外すと係合板部７１Ｂによって閉塞されていた連通部７０が開放される。これにより、連通部７０の奥のチューブ用貫通部５３に収容されていたインクチューブ１３は該連通部７０を通してハウジング２の側面９の上端部１２から外部に取り外すことが可能になる。  
以上でインク供給ユニット４の取り外しに必要な準備作業が完了する。インクタンク１１の係合フック４９をプリンター本体２の側面９に設けられている係合穴５１から引き抜いて該インクタンク１１をハウジング２の側面９から外す。そして、インクチューブ１３との接続状態を維持したまま、即ちアダプター２７とインクチューブ１３とインクタンク１１とが一体状態のインク供給ユニット４をプリンター本体２から取り外す。
【００８１】
（３）インク供給ユニットの装着  
インク供給ユニット４の修理や部品交換が終了したら、該インク供給ユニット４をハウジング（プリンター本体）２に装着する。  
即ち、アダプター２７をヘッドユニット７に装着し、固定ネジ３７を締めてチューブ支持板３５を取り付け、固定ネジ１３０Ｂも締結してインクチューブ１３を所定の配設位置に配設する。また、チューブ用貫通部５３内にインクチューブ１３を連通部７０を通して入れる。更にカバー７１を連通部７０に嵌め込む。そして、インクタンク１１の係合フック４９をプリンター本体２の側面９に設けられている係合穴５１に挿入して両者を係合させる。その際、チューブ用貫通部５３を通ってハウジング２の外部に出ているインクチューブ１３をインク収容部６７に収容させる。  
チューブ用貫通部５３が前記インクチューブ１３の該チューブ用貫通部５３を通る部分をインクタンク１１との前記接続部２９の方向に誘導するガイド構造部６１を備えている場合は、インクタンク１１の係合フック３９をプリンター本体２の係合穴５１に係合させることで、当該外部に出ているインクチューブ１３は前記ガイド構造部６１によってインク収容部６７内に自動的に収容される。
【００８２】
［変形例１］
前述したチューブ用貫通部５３の構造は、図１２（Ａ）に示す態様に限らず、図１２（Ｂ）（Ｃ）や図１３（Ａ）（Ｂ）（Ｃ）に示すような他の態様を採ることも可能である。図１２（Ｂ）（Ｃ）は、前記チューブ用貫通部５３が、該チューブ用貫通部５３に開閉自在なカバー７７，８５を備え、該カバー７７，８５の開閉によってインクチューブ１３の取り外し可能状態と取り外し不能状態とが切り換わる構成である。
【００８３】
図１２（Ｂ）に示すチューブ用貫通部５３は、回動開閉式のカバー７７を採用した態様を示している。回動支点Ｏを中心にして回動するカバー７７の回動自由端に係合凸部７９を形成し、カバー７７の回動基端側の反対側の端部に拡開時に指で押して操作する操作片８１を設けた構造が図示されている。  
尚、本構造の場合には連通部７０は設けられておらず、チューブ用貫通部５３の壁面の一部に前記係合凸部７９と係合する係合凹部８３が形成されている。
【００８４】
図１２（Ｃ）に示すチューブ用貫通部５３は、スライド開閉式のカバー８５を採用した態様を示している。当該カバー８５のスライド方向の一端に付勢バネ８７を縮設しておき、当該付勢バネ８７の付勢力を利用して当該カバー８５を閉塞方向にスライドさせる。  
また、前記カバー８５の上面には、一例として三角形断面の係止突起８９が設けられている。この係止突起８９に指を当てて、付勢バネ８７の付勢力に抗する方向にカバー８５をスライドさせることによって下方のチューブ用貫通部５３を開放状態にすることができる。尚、本態様の場合にも連通部７０は設けられていない。
【００８５】
この構造では、該カバー７７，８５の開閉によってインクチューブ５３のチューブ用貫通部５３内からの取り外し可能状態と取り外し不能状態とが切り換わる。
【００８６】
［変形例２］
図１３（Ａ）（Ｂ）（Ｃ）は、凹部カバー７１を省略し、連通部６９のみを備えることによって構成される３種類のチューブ用貫通部５３の態様をそれぞれ示している。  
図１３（Ａ）は、複数本のインクチューブ１３、例えば１３Ｃ、１３Ｍ、１３Ｙ、１３Ｋを一挙に収容することができる開口間口の広い横長のチューブ用貫通部５３を示している。図１３（Ｂ）は、複数本のインクチューブ１３、例えば１３Ｃ、１３Ｍ、１３Ｙ、１３Ｋを１本ずつ連続して収容し得る開口間口の狭い縦長のば１３Ｃ、１３Ｍ、１３Ｙ、１３Ｋを一挙に収容することができる開口間口の広い横長のチューブ用貫通部５３を示している。
【００８７】
また、図１３（Ｃ）は、複数本のインクチューブ１３、例えば１３Ｃ、１３Ｍ、１３Ｙ、１３Ｋを１本ずつのみ収容し得る溝状のチューブ用貫通部５３を複数有する態様が図示されている。  
尚、前記図１３（Ａ）（Ｂ）（Ｃ）に示す態様のチューブ用貫通部５３の場合には、前述したようにカバー７１が設けられていないので、プリンター本体２の上面を閉塞する上面パネルやスキャナー１５の開閉動作を利用してチューブ用貫通部５３の拘束状態と開放状態とを切り換えるようにする。
【００８８】
そして、このようにして構成される本実施例に係る記録装置１によれば、インク供給ユニット４の修理や部品交換等の際に、インクチューブ１３をインクタンク１１の接続部２９から取り外すことなく、インク供給ユニット４一体でハウジング２から取り外したり、ハウジング２に取り付けることができる。
【００８９】
［変形例３］
図１４はチューブ用貫通部５３にカバー７１の無い連通部７０が設けられている態様を示している。ここでは、前記連通部７０の幅は、前記インクチューブ１３が該インクチューブ１３の弾性変形を利用して通過可能なサイズに形成されている。インクチューブ１３の弾性変形を利用した構造である。
【００９０】
図１４（Ａ）は、インクチューブ１３の外径寸法と連通部７０の幅とが略同じ場合である。  
図１４（Ｂ）は、インクチューブ１３の外径寸法よりも連通部７０の幅が小さい場合である。図１４（Ｂ）では連通部７０とチューブ用貫通部５３との境界領域に突部９０が設けられ、インクチューブ１３の不用意な移動を規制している。更に、チューブ用貫通部５３から連通部７０にかけてインクチューブ１３と接触する部分が曲面構造に形成され、滑らかな取り外しおよび組み付けが行えるようになっている。
【００９１】
本構造によれば、前記連通部７０の幅は、前記インクチューブ１３が該インクチューブ１３の弾性変形を利用して通過可能なサイズに形成されているので、該連通部７０の幅をインクチューブ１３の自然状態における外径より小さく設定することが可能となる。これにより、カバーを設けなくても不用意にインクチューブ１３がチューブ用貫通部５３内から外部に出る虞が少なく、またカバーが無い状態でも該連通部７０を目立たなくすることができる。また、ハウジング２の側面９の強度低下を抑制することもできる。
【００９２】
［カバーの他の実施例の説明］
図１６及び図１７に示したように、本実施例におけるカバー１７１は、ネジ締結用の第１締結部１７１Ｃを備え、前記ハウジング２の側面９はネジ締結用の第２締結部１７３を備えている。前記第１締結部１７１Ｃは前記カバー１７１の天板部１７１Ａの下面に舌片形状で突設されている。一方、前記第２締結部１７３は前記ハウジング２の側面９であって前記第１締結部１７１Ｃと対応する位置に同様に舌片形状で設けられている。これにより、前記ネジ締結部分は前記カバー１７１の下側に位置する。前記第１締結部１７１Ｃにはネジ１７５で締結するためのネジ孔１７１Ｄが設けられている。第２締結部１７３にはネジ１７５で締結するためのネジ孔１７３Ｄが設けられている。  
前記カバー１７１は、前記第１締結部１７１Ｃと第２締結部１７３をネジ１７５で締結することでハウジング２に固定され、ネジ締結を外すことでハウジング２から取り外すことができる。
【００９３】
図１６及び図１７に示したように、第１締結部１７１Ｃはハウジング２の外側に位置する２個と、ハウジング２の内側に位置する２個で、全部で４個設けられている。係合受部１７３も前記第１締結部１７１Ｃに対応して４個設けられている。尚、第１締結部１７１Ｃの数は４個に限定されず、例えば３個でもよいし、５個以上でもよい。  
図１７において、符号１７１Ｅは位置決め用ピンで、ハウジング２の前記連通部７０の入口周縁部に設けられている位置決め用孔（図示せず）に前記位置決め用ピン１７１Ｅがされることで当該カバー１７１の位置決めが行われる。尚、この位置決め用ピン１７１Ｅは図９に示した前記実施例においても設けられている。
【００９４】
本実施例によれば、該カバー１７１は、前記第１締結部１７１Ｃと第２締結部１７３をネジ１７５で締結することでハウジング２に固定され、ネジ締結を外すことでハウジング２から取り外せるので、カバー１７１が固定状態において大きな衝撃を受けても不要に外れる虞が少ない。従って、インクチューブ１３をチューブ用貫通部５３内に安定した状態で保持することができる。  
更に、前記ネジ締結部分は前記カバー１７１の下側に位置するので、外部から見えない、或いは目立たない。これにより、ネジ締結構造が装置全体の外観に影響を及ぼすことを防止することができる。
【００９５】
［他の実施例］
本発明に係る記録装置１は、以上述べたような構成を有することを基本とするものであるが、本願発明の要旨を逸脱しない範囲内の部分的構成の変更や省略等を行うことも勿論可能である。  
例えば、インクタンク１１を装着する位置は、図３に示すようにハウジング（プリンター本体）２の右側の側面９の外側に限らず、ハウジング２の左側の側面９の外側に設けたり、左右の側面９の外側に振り分けて設けることが可能である。  
また、インクタンク１１は、ハウジング２に装着せずに該ハウジング２の外側に置かれる構造であってもよい。  
連通部７０やカバー７１の構造も上記実施例のものに限定されない。即ちインクチューブ１３を外部に取り外すことができる構造であればよい。
【符号の説明】
【００９６】
１  インクジェットプリンター（記録装置）、  ２  ハウジング（プリンター本体）、
３  変形可動部 、  ４  インク供給ユニット、  ５  記録ヘッド、
７  ヘッドユニット、  ９  側面、  １０  側縁、  １１  インクタンク、
１２  上端部、  １３  インクチューブ、  １３ａ  第１延設部、
１３ｂ  第２延設部、  １５  スキャナー、  １７  給紙口、  １９  排紙口、
２１  操作パネル、  ２３  記録実行領域、  ２５  ヘッドユニット本体、
２７  アダプター、  ２９  接続部、  ３１  Ｕ字反転部、  ３３  支持部材、
３５  チューブ支持板（可動側端部）、  ３７  固定ネジ、  ３９  継手、
４１  プラグ、  ４３  プラグ、  ４５  軌道修正部、  ４７  装着面、
４９  係合フック、  ５１  係合穴、  ５２  チューブ用貫通部構造、
５３  チューブ用貫通部、  ５４  下縁、  ５６  移動規制面、
５７  第１移動規制部、  ５８  凸状リブ、  ５９  第２移動規制部、
６０  ブロック状の凸部、  ６１  ガイド構造部、  ６３  上方誘導部、
６４  上方誘導面、  ６５  側方誘導部、  ６６  側方誘導面、
６７  チューブ収容部、  ６８  側縁、  ７０  連通部、  ７１  カバー、
７１Ａ  天板部、  ７１Ｂ  係合板部、  ７１Ｃ  係合爪部、  ７３  係合受部、
７５  凸状部、  ７７  カバー、  ７９  係合凸部、  ８１  操作片、
８３  係合凹部、  ８５  カバー、  ８７  付勢バネ、  ８９  係止突起、
１３０  抜け止め構造部（Ｓ字経路）、  １７１  カバー、  １７１Ａ  天板部、
１７１Ｂ  係合板部、  １７１Ｃ  第１締結部、１７１Ｄ  ネジ孔、
１７１Ｅ  位置決め用ピン、  １７３  第２締結部、  １７３Ｄ  ネジ孔、
１７５  ネジ、  Ｐ  用紙（被記録材）、  Ａ  搬送方向、  Ｂ  幅方向、
Ｃ  誘導方向、  Ｄ  延設方向、  Ｏ  回動支点
【図１】
2013176945.tif 000003
【図２】
2013176945.tif 000004
【図３】
2013176945.tif 000005
【図４】
2013176945.tif 000006
【図５】
2013176945.tif 000007
【図６】
2013176945.tif 000008
【図７】
2013176945.tif 000009
【図８】
2013176945.tif 000010
【図９】
2013176945.tif 000011
【図１０】
2013176945.tif 000012
【図１１】
2013176945.tif 000013
【図１２】
2013176945.tif 000014
【図１３】
2013176945.tif 000015
【図１４】
2013176945.tif 000016
【図１５】
2013176945.tif 000017
【図１６】
2013176945.tif 000018
【図１７】
2013176945.tif 000019